(57)【要約】【課題】幅木とかご床が接する箇所にゴミや埃が滞留することを抑制し、清掃作業を容易に行うことができる乗りかご及びエレベーターを提供する。【解決手段】乗りかご１２０は、側板１２とかご床１１との間に設けられた幅木１４を備えている。幅木１４は、鉛直方向に対して傾斜し、かつ鉛直方向の上端部から下端部に向かうにつれて、側板１２から離れ、かご室２の内側に向けて傾斜した傾斜面部２５、２８を有する。【選択図】図４
2018027834.tif 000002
【特許請求の範囲】
【請求項１】
かご室を形成する側板と、前記かご室の床面となるかご床と、前記かご床と鉛直方向で対向する天井と、を備えたエレベーターの乗りかごにおいて、
前記側板と前記かご床との間に設けられた幅木を備え、
前記幅木は、前記鉛直方向に対して傾斜し、かつ前記鉛直方向の上端部から下端部に向かうにつれて、前記側板から離れ、前記かご室の内側に向けて傾斜した傾斜面部を有する
乗りかご。
【請求項２】
前記傾斜面部の下端部は、前記かご床の床面と前記鉛直方向で同一の高さ、あるいは前記床面よりも高い位置に配置される
請求項１に記載の乗りかご。
【請求項３】
前記傾斜面部は、前記鉛直方向に対して湾曲状に傾斜している
請求項１に記載の乗りかご。
【請求項４】
前記幅木は、
前記かご床の縁部に沿って水平方向に直線状に延在し、前記傾斜面部を有する直線幅木と、
隣接する２つの前記直線幅木の間に設置され、前記傾斜面部を有する角部幅木と、を備えた
請求項１に記載の乗りかご。
【請求項５】
前記角部幅木に設けられた前記傾斜面部は、前記かご室の内側から外側に向けて凹んだ球面状に形成されている
請求項４に記載の乗りかご。
【請求項６】
前記側板、前記床面及び前記幅木を支持する枠体を備え、
前記枠体は、前記幅木の前記鉛直方向の取り付け位置を調整する調整機構を有する
請求項１に記載の乗りかご。
【請求項７】
前記調整機構は、
前記幅木に設けられた固定ボルトが移動可能に挿入され、かつ前記鉛直方向に沿って延びる長孔である
請求項６に記載の乗りかご。
【請求項８】
昇降路内を昇降する乗りかごを備えたエレベーターにおいて、
前記乗りかごは、
かご室を形成する側板と、
前記かご室の床面となるかご床と、
前記かご床と鉛直方向で対向する天井と、
前記側板と前記かご床との間に設けられた幅木と、を備え、
前記幅木は、前記鉛直方向に対して傾斜し、かつ前記鉛直方向の上端部から下端部に向かうにつれて、前記側板から離れ、前記かご室の内側に向けて傾斜した傾斜面部を有する
エレベーター。
【発明の詳細な説明】
【技術分野】
【０００１】
本発明は、かご室内に幅木が設けられた乗りかご、及びこの乗りかごを備えたエレベーターに関するものである。
【背景技術】
【０００２】
エレベーターの乗りかご内には、台車や人の足等が当たることによる衝撃から側板を保護するために、側板とかご床との間には幅木が設けられている。また、近年では、顧客の意匠的要求に応えるために、材質や形状等を選べるように様々な幅木を取りそろえている。
【０００３】
例えば、特許文献１には、乗りかご内の縁部に沿って取り付けられる直線幅木と、隣接する２つの直線幅木間に設けられる曲線幅木と、を備えた技術が記載されている。そして、この特許文献１に記載された技術では、乗りかご内の角部に配置される幅木の形状を曲線状に形成している。
【先行技術文献】
【特許文献】
【０００４】
【特許文献１】特開２００９−２９８５１７号公報
【発明の概要】
【発明が解決しようとする課題】
【０００５】
しかしながら、特許文献１に記載された技術では、幅木とかご床が略直角に突き合わされている。そのため、特許文献１に記載された技術では、幅木とかご床が接する突き合わせ部にゴミや埃が滞留しやすく、乗りかご内の清掃作業が大変煩雑なものとなっていた。
【０００６】
本発明の目的は、上記の問題点を考慮し、幅木とかご床が接する箇所にゴミや埃が滞留することを抑制し、清掃作業を容易に行うことができる乗りかご及びエレベーターを提供することにある。
【課題を解決するための手段】
【０００７】
上記課題を解決し、本発明の目的を達成するため、本発明の乗りかごは、かご室を形成する側板と、かご室の床面となるかご床と、かご床と鉛直方向で対向する天井と、を備えたエレベーターの乗りかごである。乗りかごは、側板とかご床との間に設けられた幅木を備えている。そして、幅木は、鉛直方向に対して傾斜し、かつ鉛直方向の上端部から下端部に向かうにつれて、側板から離れ、かご室の内側に向けて傾斜した傾斜面部を有する。
【０００８】
また、本発明のエレベーターは、昇降路内を昇降する乗りかごとを備えたエレベーターである。乗りかごは、上述した乗りかごが用いられる。
【発明の効果】
【０００９】
本発明の乗りかご及びエレベーターによれば、幅木とかご床が接する箇所にゴミや埃が滞留することを抑制し、清掃作業を容易に行うことができる。
【図面の簡単な説明】
【００１０】
【図１】本発明の第１の実施の形態例にかかるエレベーターを示す概略構成図である。
【図２】本発明の第１の実施の形態例にかかる乗りかごを示す斜視図である。
【図３】本発明の第１の実施の形態例にかかる乗りかごの内部を示す概略構成図である。
【図４】本発明の第１の実施の形態例にかかる乗りかごの幅木とかご床を示す斜視図である。
【図５】本発明の第１の実施の形態例にかかる乗りかごの幅木を示す分解斜視図である。
【図６】本発明の第１の実施の形態例にかかる乗りかごの直線幅木とかご床を示す断面図である。
【図７】本発明の第２の実施の形態例にかかる乗りかごの幅木とかご床を示す斜視図である。
【図８】本発明の第２の実施の形態例にかかる乗りかごの直線幅木とかご床を示す断面図である。
【図９】本発明の第３の実施の形態例にかかる乗りかごの幅木とかご床を示す断面図である。
【発明を実施するための形態】
【００１１】
以下、本発明の乗りかご及びエレベーターの実施の形態例について、図１〜図９を参照して説明する。なお、各図において共通の部材には、同一の符号を付している。
【００１２】
１．第１の実施の形態例
１−１．エレベーターの構成
まず、本発明の第１の実施の形態例（以下、「本例」という。）にかかるエレベーターの構成について、図１を参照して説明する。
図１は、本例のエレベーターの構成例を示す概略構成図である。
【００１３】
図１に示すように、本例のエレベーター１は、建築構造物内に形成された昇降路１１０に設けられている。エレベーター１は、昇降路１１０内を昇降動作し、人や荷物を載せる乗りかご１２０と、ロープ１３０と、釣合錘１４０と、巻上機１００とを備えている。昇降路１１０の頂部には、機械室１６０が設けられている。
【００１４】
巻上機１００は、機械室１６０に配置され、ロープ１３０を巻き掛けることにより乗りかご１２０を昇降させる。また、巻上機１００の近傍には、ロープ１３０が装架される反らせ車１５０が設けられている。
【００１５】
ロープ１３０の軸方向の一端には、乗りかご１２０が取り付けられており、ロープ１３０の軸方向の他端には、釣合錘１４０が取り付けられている。そのため、乗りかご１２０は、ロープ１３０を介して釣合錘１４０と連結される。
【００１６】
［乗りかご］
次に、図２〜図６を参照して乗りかご１２０の構成について説明する。
図２は、乗りかご１２０を示す斜視図、図３は、乗りかご１２０の内部を示す概略構成図である。図４は、乗りかご１２０の下部の一部を示す斜視図、図５は、乗りかご１２０の下部を示す断面図、図６は、乗りかご１２０の下部を示す分解斜視図である。
【００１７】
図２及び図３に示すように、乗りかご１２０は、かご室２と、ドアユニット３と、を有している。
かご室２は、中空の略直方体状に形成されている。かご室２には、一面が開口した出入り口２ａが設けられている。そして、かご室２の内部空間には、出入り口２ａから人や荷物が出入りされる。この出入り口２ａには、ドアユニット３が開閉可能に設置されている。
【００１８】
また、かご室２は、かご床１１と、側板１２と、天井１３と、かご床１１と側板１２との間に設けられる幅木１４とを備えている。さらに、図４に示すように、かご室２は、かご床１１、側板１２及び幅木１４を支持する枠体１５を有している。
【００１９】
かご床１１は、かご室２の床面となる床板１８と、床板１８を支持する土台部１９とを有している。土台部１９は、後述する枠体１５の床枠１６に支持されている。図５に示すように、床板１８は、土台部１９よりも外径が小さく形成されている。また、床板１８は、角部が曲線状となる略矩形状に形成されている。
【００２０】
図３に示すように、天井１３は、かご床１１に対して鉛直方向に対向している。また、天井１３は、床板１８と同様に略矩形状に形成されおり、その角部は、曲線状に形成されている。
【００２１】
図２及び図３に示すように、側板１２は、かご床１１及び天井１３の周囲に立設されている。また、かご床１１の周囲を囲む側板１２のうち一つの側板１２には、出入り口２ａが形成されている。側板１２は、上述する枠体１５の側枠１７に支持されている。さらに、側板１２の鉛直方向の下部、すなわちかご床１１との間には、幅木１４が設置されている。
【００２２】
［枠体］
次に、枠体１５について説明する。
枠体１５は、床枠１６と、側板１２及び幅木１４を支持する側枠１７と、を備えている。床枠１６は、略矩形状に形成されている。床枠１６には、かご床１１の土台部１９が載置される。図５に示すように、床枠１６の縁部には、側枠１７が略垂直に立設されている。
【００２３】
側枠１７は、鉛直方向で切断した断面形状が略コの字状に形成されている。側枠１７は、上部固定片１７ａと、側部固定片１７ｂと、下部固定片１７ｃとを有している。上部固定片１７ａは、側部固定片１７ｂの鉛直方向の上端部から略垂直に屈曲している。下部固定片１７ｃは、側部固定片１７ｂの延長方向の下端部から略垂直に屈曲している。
【００２４】
上部固定片１７ａには、側板１２が接続部材２０を介して固定される。また、下部固定片１７ｃは、床枠１６に固定される。上部固定片１７ａと接続部材２０との固定方法、及び下部固定片１７ｃと床枠１６との固定方法としては、例えば床枠１６に例えばボルトを用いた締結固定や、溶接等の固定方法が適用される。
【００２５】
側部固定片１７ｂには、複数の固定孔３１と、角部固定孔３２とが形成されている。固定孔３１は、鉛直方向に沿って延びる長孔である。この固定孔３１には、後述する幅木１４の直線幅木２１の固定ボルト２６が挿入される。
【００２６】
角部固定孔３２は、水平方向に沿って延びる水平長孔部３２ａと、鉛直方向に沿って延びる鉛直長孔部３２ｂとを有している。鉛直長孔部３２ｂは、水平長孔部３２ａにおけるかご室２の角部側の端部から連続している。この角部固定孔３２には、後述する幅木１４の角部幅木２２の固定ボルト２９が挿入される。
【００２７】
［幅木］
次に、幅木１４について説明する。
図４に示すように、幅木１４は、床板１８の縁部１８ａに沿って水平方向に直線状に延在する直線幅木２１と、隣接する２つの直線幅木２１、２１の間に設置される角部幅木２２と、を有している。角部幅木２２は、かご室２内の下部における角部に配置される。
【００２８】
図４及び図６に示すように、直線幅木２１は、平面部２４と、傾斜面部２５とを有している。平面部２４は、直線幅木２１の鉛直方向の上部に設けられ、傾斜面部２５は、直線幅木２１の鉛直方向の下部に設けられている。
【００２９】
平面部２４は、鉛直方向と略平行に配置される。そして、平面部２４におけるかご室２の内側に露出される面が意匠面２４ａとなる。また、図５及び図６に示すように、平面部２４における意匠面２４ａと反対側の面である裏面２４ｂは、側枠１７の側部固定片１７ｂと対向する。この裏面２４ｂには、固定ボルト２６が設けられている。固定ボルト２６は、裏面２４ｂから略垂直に突出し、側部固定片１７ｂに形成された固定孔３１に挿入する。
【００３０】
平面部２４における鉛直方向の下端部には、傾斜面部２５が連続して設けられている。傾斜面部２５は、鉛直方向に対して傾斜し、かご室２の内側から外側に向けて凹んだ湾曲状に形成されている。具体的には、傾斜面部２５は、平面部２４と接続する鉛直方向の上端部から反対側の端部である下端部に向かうにつれて側枠１７及び側板１２から離反し、かご室２の内側に向けて傾斜している。
【００３１】
傾斜面部２５の下端部は、床板１８の縁部１８ａに当接する。また、傾斜面部２５の端部の鉛直方向の高さは、縁部１８ａの鉛直方向の高さと略同一に設定される。すなわち、傾斜面部２５の下端部は、床板１８の床面に対して段差のない面になる。そのため、直線幅木２１と床板１８の縁部１８ａとは、略平行な状態で突き合わされる。
【００３２】
これにより、かご室２の側板１２側に落ちたゴミや埃は、直線幅木２１の傾斜面部２５を伝って床板１８に滑り落ちる。その結果、かご室２における直線幅木２１と床板１８が接する箇所にゴミや埃が滞留することを抑制できると共に、清掃作業を容易に行うことができる。
【００３３】
図４及び図５に示すように、角部幅木２２は、曲線部２７と、球面部２８とを有している。曲線部２７は、角部幅木２２の鉛直方向の上部に設けられ、傾斜面部を示す球面部２８は、角部幅木２２の鉛直方向の下部に設けられている。
【００３４】
平面部の一例を示す曲線部２７は、鉛直方向と略平行に配置される。曲線部２７は、隣接する直線幅木２１、２１の平面部２４を連結するように、水平方向に対して曲線状に湾曲している。曲線部２７における水平方向の端部は、隣接する２つの直線幅木２１、２１の平面部２４の水平方向の端部に当接する。そして、角部幅木２２の曲線部２７と、直線幅木２１の平面部２４の継ぎ目が、段差なく面一となる。
【００３５】
曲線部２７におけるかご室２の内側に露出される面が意匠面２７ａとなる。曲線部２７における意匠面２７ａと反対側の面である裏面２７ｂは、側枠１７の側部固定片１７ｂと対向する。この裏面２７ｂには、固定ボルト２９が設けられている。固定ボルト２９は、裏面２７ｂから略垂直に突出し、側部固定片１７ｂに形成された角部固定孔３２に挿入する。
【００３６】
曲線部２７の鉛直方向の下端部には、球面部２８が連続して設けられている。球面部２８は、鉛直方向及び水平方向に対して湾曲し、かご室２の内側から外側に向けて凹んだ略球面状に形成されている。そして、球面部２８は、曲線部２７と接続する鉛直方向の上端部から反対側の下端部に向かうにつれて、側枠１７及び側板１２から離れ、かご室２の内側に向けて傾斜している。
【００３７】
球面部２８における水平方向の両端部は、隣接する２つの直線幅木２１、２１の傾斜面部２５の水平方向の端部と面一となるように当接する。その結果、隣接する２つの直線幅木２１、２１の平面部２４及び傾斜面部２５と、角部幅木２２の曲線部２７及び球面部２８が、全て連続する一面となるように配置させることができ、幅木１４の美観を向上させることができる。
【００３８】
また、球面部２８の下端部は、床板１８の縁部１８ａに当接する。さらに、球面部２８の端部の鉛直方向の高さは、床板１８の縁部１８ａの鉛直方向の高さと略同じ高さに設定される。すなわち、球面部２８の下端部は、床板１８の床面に対して段差のない面になる。そのため、直線幅木２１と同様に、角部幅木２２は、床板１８の縁部１８ａと略平行な状態で突き合わされる。
【００３９】
これにより、角部幅木２２においても、直線幅木２１と同様に、かご室２の角部に落ちたゴミや、埃は、角部幅木２２の曲線部２７及び球面部２８を伝って床板１８に滑り落ちる。これにより、かご室２の角部にゴミや埃が滞留することを抑制することができると共に、清掃作業を容易に行うことができる。
【００４０】
このように、角部幅木２２は、曲線状に湾曲した曲線部２７と、球面状に形成された球面部２８によって角がない滑らかな三次元曲面に形成される。これにより、かご室２の下端部の角部を滑らかな三次元曲面に形成することができ、ゴミや埃が滞留することを抑制することができると共に清掃作業を容易に行うことができる。さらに、球面状に形成したことで、角部幅木２２に加わる応力を分散させることができる。
【００４１】
なお、本例では、傾斜面部である直線幅木２１の傾斜面部２５及び角部幅木２２の球面部２８の下端部を、床板１８の鉛直方向の高さと同一に配置する例を説明したが、これに限定されるものではない。例えば、傾斜面部２５及び球面部２８の下端部を、床板１８の縁部１８ａよりも鉛直方向で若干高くなるように直線幅木２１及び角部幅木２２を配置してもよい。あるいは、傾斜面部２５及び球面部２８の下端部を、床板１８の縁部１８ａの鉛直方向の上面、すなわち床板１８の床面に載置させてもよい。
【００４２】
このような構成においても、直線幅木２１の傾斜面部２５及び角部幅木２２の球面部２８から床板１８に向けてゴミや埃を滑り落とすことができ、かご室２の角部にゴミや埃が溜まることを抑制することができる。
【００４３】
次に、上述した構成を有する幅木１４の取り付け方法について説明する。
まず、図６に示すように、直線幅木２１における平面部２４の裏面２４ｂを側枠１７における側部固定片１７ｂに対向させる。そして、平面部２４に裏面２４ｂから突出する固定ボルト２６を側部固定片１７ｂに設けた固定孔３１に挿入する。
【００４４】
次に、直線幅木２１の傾斜面部２５の下端部を床板１８の縁部１８ａに当接させる。そして、傾斜面部２５における端部の鉛直方向の高さが床板１８の縁部１８ａの高さと略同一の高さとなるように、直線幅木２１の鉛直方向の高さを調整する。ここで、固定孔３１を鉛直方向に沿って延びる長孔としたことで、直線幅木２１の固定ボルト２６が固定孔３１内を鉛直方向に移動する。これにより、直線幅木２１の鉛直方向の高さ調節が可能となる。
【００４５】
次に、図４及び図５に示すように、角部幅木２２を側枠１７の角部に配置させ、角部幅木２２における曲線部２７の裏面２７ｂを側部固定片１７ｂに対向させる。そして、曲線部２７の裏面２７ｂから突出する固定ボルト２９を、側部固定片１７ｂに設けた角部固定孔３２に挿入する。このとき、固定ボルト２９を角部固定孔３２の水平長孔部３２ａから挿入し、角部幅木２２を側部固定片１７ｂに接近させる。これにより、固定ボルト２９は、水平長孔部３２ａを通過して、鉛直長孔部３２ｂまで移動する。
【００４６】
次に、直線幅木２１と同様に、角部幅木２２における球面部２８の下端部を床板１８の縁部１８ａに当接させる。球面部２８における下端部の鉛直方向の高さが床板１８の縁部１８ａの高さと略同一の高さとなるように、固定ボルト２９を鉛直長孔部３２ｂに沿って鉛直方向に移動させることで、角部幅木２２の鉛直方向の高さを調整する。
【００４７】
また、直線幅木２１の平面部２４と角部幅木２２の曲線部２７が面一となるように、さらに直線幅木２１の傾斜面部２５と角部幅木２２の球面部２８が面一となるように、直線幅木２１及び角部幅木２２の取り付け位置を調整する。
【００４８】
直線幅木２１の取り付け位置及び角部幅木２２の取り付け位置の調整が完了すると、固定ナット３４を用いて、直線幅木２１及び角部幅木２２を側枠１７に締結固定する。これにより、幅木１４の取り付け作業が完了する。
【００４９】
このように、直線幅木２１の平面部２４及び角部幅木２２の曲線部２７を側枠１７の側部固定片１７ｂに当接させ、かつ固定ボルト２６と固定ナット３４で締結固定することで、幅木１４を枠体１５に容易に、かつ堅牢に取り付けることができる。
【００５０】
なお、本例では、固定ボルト２６、２９と固定ナット３４を用いて、直線幅木２１及び角部幅木２２を側枠１７に固定した例を説明したが、これに限定されるものではない。例えば、直線幅木２１と角部幅木２２を溶接による側枠１７に固定してもよい。あるいは、弾性を有する固定部材を用いて、直線幅木２１及び角部幅木２２と側枠１７とを固定してもよく、幅木１４と側枠１７の固定方法は、その他各種の固定方法を用いてもよい。
【００５１】
なお、本例では、直線幅木２１及び角部幅木２２の鉛直方向の取り付け位置を調整するための調整機構として、固定孔３１を鉛直方向に延びる長孔とし、角部固定孔３２に鉛直方向に延びる鉛直長孔部３２ｂを形成した例を説明したが、これに限定されるものではない。例えば、直線幅木２１及び角部幅木２２の取り付け位置を調整するために、側枠１７に直線幅木２１及び角部幅木２２を鉛直方向又は水平方向に摺動可能に支持する溝部を形成してもよく、あるいは鉛直方向又は水平方向に複数の固定孔を形成してもよい。さらに、直線幅木２１及び角部幅木２２の水平方向の位置を調整するために、側枠１７に水平方向に延びる長孔を形成してもよい。
【００５２】
２．第２の実施の形態例
次に、図７及び図８を参照して本発明の第２の実施の形態例について説明する。
図７及び図８は、第２の実施の形態例にかかるエレベーターにおけるかご床及び幅木を示す説明図である。
【００５３】
この第２の実施の形態例にかかるエレベーターが、第１の実施の形態例にかかるエレベーター１と異なる点は、幅木の傾斜面部の構成である。そのため、ここでは、幅木について説明し、第１の実施の形態例にかかるエレベーター１と共通する部分には、同一の符号を付して重複した説明を省略する。
【００５４】
図７及び図８に示すように、幅木４０は、直線幅木４１と、角部幅木４２とを有している。直線幅木４１は、平面部４４と、傾斜面部４５とを有している。平面部４４の裏面には、固定ボルト５６が設けられている。平面部４４は、側部固定片１７ｂと対向し、固定ナット３４を介して側部固定片１７ｂに締結固定される。平面部４４の鉛直方向の下端部には、傾斜面部４５が連続している。
【００５５】
傾斜面部４５は、鉛直方向に対して傾斜している。具体的には、傾斜面部４５は、平面部４４と接続する鉛直方向の上端部から下端部に向かうにつれて、側枠１７及び側板１２から離れ、かご室２の内側に向けて直線状に傾斜している。そして、傾斜面部４５の下端部は、床板１８の縁部１８ａに当接する。このとき、傾斜面部４５と床板１８で形成される角度は、鈍角になる。
【００５６】
角部幅木４２は、複数の平面部４７（第２の実施の形態例では、３つ）と、複数の傾斜面部４８（第２の実施の形態例では、３つ）とを有している。すなわち、角部幅木４２は、かご室２の内側から角部に向けて凹んだ多角形状に形成されている。
【００５７】
複数の平面部４７は、鉛直方向と略平行に配置される。複数の平面部４７は、互いに鈍角で接続される。複数の平面部４７における水平方向の両端部に位置する平面部４７は、隣接する直線幅木４１の平面部４４と略平行に配置される。また、複数の平面部４７における水平方向の中間に位置する平面部４７は、かご室２の角部に配置される。
【００５８】
複数の平面部４７における鉛直方向の下端部には、それぞれ傾斜面部４８が連続する。複数の傾斜面部４８における水平方向の両端部に位置する傾斜面部４８は、隣接する直線幅木４１の傾斜面部４８と略平行に配置される。
【００５９】
また、複数の傾斜面部４８は、それぞれ鉛直方向に対して傾斜している。具体的には、平面部４７と接続される鉛直方向の上端部から下端部に向かうにつれて、側枠１７及び側板１２から離れ、かご室２の内側に向けて直線状に傾斜している。そして、直線幅木４１の傾斜面部４５と同様に、傾斜面部４８における平面部４７と反対側の端部は、床板１８の縁部１８ａに対して鈍角で当接する。
【００６０】
なお、第２の実施の形態例にかかる角部幅木４２では、平面部４７を３つ設け、傾斜面部４８を３つ設けた例を説明したが、これに限定されるものではない。例えば、平面部及び傾斜面部をそれぞれ５つ以上設けて角部幅木を構成してもよい。
【００６１】
また、傾斜面部４５、４８の下端部を床板１８の縁部１８ａに当接させた例を説明したが、これに限定されるものではなく、傾斜面部４５、４８の下端部を床板１８の床面に載置させてもよい。
【００６２】
その他の構成は、第１の実施の形態にかかる幅木１４と同様であるため、それらの説明は省略する。このような構成を有する幅木４０によっても、上述した第１の実施の形態例にかかる幅木１４と同様の作用効果を得ることができる。
【００６３】
３．第３の実施の形態例
次に、図９を参照した本発明の第３の実施の形態例について説明する。
図９は、第３の実施の形態例にかかるエレベーターにおける幅木を示す説明図である。
【００６４】
この第３の実施の形態例にかかるエレベーターが、第１の実施の形態例にかかるエレベーター１と異なる点は、幅木の構成である。そのため、ここでは、幅木について説明し、第１の実施の形態例にかかるエレベーター１と共通する部分には、同一の符号を付して重複した説明を省略する。
【００６５】
図９に示すように、幅木６０は、傾斜面部６４を有している。傾斜面部６４は、鉛直方向に対して湾曲状に傾斜している。傾斜面部６４は、鉛直方向の上端部から下端部に向かうにつれて、側枠１７及び側板１２から離れ、かご室２の内側に向けて傾斜している。傾斜面部６４の下端部は、床板１８の縁部１８ａに当接する。このように、第３の実施の形態例にかかる幅木６０は、平面部を設けずに、鉛直方向の上端から下端にかけて傾斜した傾斜面部６４のみで構成される。
【００６６】
また、傾斜面部６４の裏面６４ｂには、固定ボルト７６が設けられている。固定ボルト７６は、傾斜面部６４の裏面から水平方向と略平行に突出している。そして、幅木６０を側枠１７に固定する際に、傾斜面部６４の裏面６４ｂと側部固定片１７ｂとの間には、スペーサー７８が介在される。このスペーサー７８により、幅木６０の水平方向の位置が調整される。
【００６７】
その他の構成は、第１の実施の形態にかかる幅木１４と同様であるため、それらの説明は省略する。このような構成を有する幅木６０によっても、上述した第１の実施の形態例にかかる幅木１４と同様の作用効果を得ることができる。
【００６８】
第３の実施の形態例にかかる幅木６０の角部幅木は、全体がかご室２の内側から外側に向けて凹んだ球面状に形成される。
【００６９】
なお、本発明は上述しかつ図面に示した実施の形態に限定されるものではなく、特許請求の範囲に記載した発明の要旨を逸脱しない範囲内で種々の変形実施が可能である。上述した実施の形態例では、側枠と幅木とを別部材で構成した例を説明したが、これに限定されるものではなく、側枠と幅木とを一体に構成してもよい。例えば、側枠における側部固定片に上述した傾斜面部を有する幅木を形成してもよい。
【００７０】
また、上述した構成を有する乗りかごは、昇降路内に機械室を有しない、いわゆる機械室レスエレベーターに適用してもよい。
【００７１】
なお、本明細書において、「平行」及び「直交」等の単語を使用したが、これらは厳密な「平行」及び「直交」のみを意味するものではなく、「平行」及び「直交」を含み、さらにその機能を発揮し得る範囲にある、「略平行」や「略直交」の状態であってもよい。
【符号の説明】
【００７２】
１…エレベーター、  ２…かご室、  ２ａ…出入り口、  １１…かご床、  １２…側板、  １３…天井、  １４、４０、６０…幅木、  １５…枠体、  １６…床枠、  １７…側枠、  １７ａ…上部固定片、  １７ｂ…側部固定片、  １７ｃ…下部固定片、  １８…床板、  １８ａ…縁部、  ２１、４１…直線幅木、  ２２、４２…角部幅木、  ２４、４４、４７…平面部、  ２４ａ…意匠面、  ２４ｂ…裏面、  ２５、４５、４８、６４…傾斜面部、  ２６…固定ボルト、  ２７…曲線部、  ２７ａ…意匠面、  ２７ｂ…裏面、  ２８…球面部（傾斜面部）、  ２９…固定ボルト、  ３１…固定孔、  ３２…角部固定孔、  ３２ａ…水平長孔部、  ３２ｂ…鉛直長孔部、  ３４…固定ナット、  ７８…スペーサー、  １００…巻上機、  １１０…昇降路、  １２０…乗りかご、  １３０…ロープ、  １４０…釣合錘、  １５０…反らせ車、  １６０…機械室
【図１】
2018027834.tif 000003
【図２】
2018027834.tif 000004
【図３】
2018027834.tif 000005
【図４】
2018027834.tif 000006
【図５】
2018027834.tif 000007
【図６】
2018027834.tif 000008
【図７】
2018027834.tif 000009
【図８】
2018027834.tif 000010
【図９】
2018027834.tif 000011